(57)【要約】      （修正有）【課題】携帯電子装置を無線送受信機とすることで、ユーザーの使用上の利便性を向上し、資源の浪費及び製造コストを低減する入力システムを提供する。【解決手段】コンピュータ５０に適用される入力システム３に関する。入力システム３は、無線操作装置１００と携帯電子装置２００とを備える。無線操作装置１００は、データ情報１１５を生成できる操作部１１０と、操作部１１０と電気的に接続され、データ情報１１５を送信するための無線送信部とを有する。携帯電子装置２００は、表示部２１０と、無線受信部と、データ伝送端子２３０と、を有し、無線受信部は表示部２１０及びデータ伝送端子２３０と電気的に接続され、無線操作装置１００の無線送信部からのデータ情報１１５を受信するためである。データ伝送端子２３０はデータ伝送線路を介してデータ情報１１５をコンピュータ５０に伝送する。【選択図】図４
0003193817.tif 000002
【実用新案登録請求の範囲】
【請求項１】
コンピュータに適用される入力システムにおいて、
データ情報を生成できる操作部と、前記操作部と電気的に接続され、前記データ情報を送信できる無線送信部とを有する無線操作装置と、
表示部と、無線受信部と、データ伝送端子とを有する携帯電子装置と、
を備え、
前記無線受信部は、前記表示部及び前記データ伝送端子と電気的に接続され、前記無線操作装置からの前記データ情報を受信でき、前記データ伝送端子は、データ伝送線路を介して前記データ情報を前記コンピュータに伝送できることを特徴とする入力システム。
【請求項２】
前記無線操作装置は、前記操作部及び前記無線送信部と電気的に接続される制御部を有することを特徴とする請求項１に記載の入力システム。
【請求項３】
前記無線操作装置は、前記制御部と電気的に接続される記憶部を有することを特徴とする請求項２に記載の入力システム。
【請求項４】
前記操作部は、位置指示部又は少なくとも一つのボタンであることを特徴とする請求項１に記載の入力システム。
【請求項５】
前記ボタンは、数字キー、文字キー又は機能キーであることを特徴とする請求項４に記載の入力システム。
【請求項６】
前記無線操作装置は、マウス、指示ペン又はキーボードであることを特徴とする請求項１に記載の入力システム。
【請求項７】
前記携帯電子装置は、パネルコンピュータ、携帯電話又は携帯情報端末であることを特徴とする請求項１に記載の入力システム。
【請求項８】
前記データ伝送端子は、ＵＳＢ伝送インターフェース、ＩＥＥＥ伝送インターフェース又は無線伝送インターフェースであることを特徴とする請求項１に記載の入力システム。
【請求項９】
前記携帯電子装置は、前記データ伝送端子及びリモートサーバと電気的に接続される通信モジュールを有することを特徴とする請求項１に記載の入力システム。
【請求項１０】
前記携帯電子装置は、前記表示部及び前記データ伝送端子と電気的に接続される中継端無線送信部を有し、前記無線操作装置は、操作端無線受信部を有し、前記中継端無線送信部は、前記コンピュータからのデータファイルを前記操作端無線受信部に送信するためであることを特徴とする請求項１に記載の入力システム。
【請求項１１】
前記操作端無線受信部及び前記中継端無線送信部はそれぞれ、対応するブルートゥース（登録商標）受信機及びブルートゥース（登録商標）送信機、無線周波受信モジュール及び送信モジュール、ＷＩ−ＦＩ（登録商標）受信機及びＷＩ−ＦＩ（登録商標）送信機、又は、赤外線受信機及び赤外線送信機であることを特徴とする請求項１０に記載の入力システム。
【請求項１２】
前記携帯電子装置の無線受信部及び前記無線操作装置の無線送信部はそれぞれ、対応するブルートゥース（登録商標）受信機及びブルートゥース（登録商標）送信機、無線周波受信モジュール及び無線周波送信モジュール、ＷＩ−ＦＩ（登録商標）受信機及びＷＩ−ＦＩ（登録商標）送信機、又は、赤外線受信機及び赤外線送信機であることを特徴とする請求項１に記載の入力システム。
【請求項１３】
前記データ伝送線路は、有線データ伝送線路又は無線データ伝送線路であることを特徴とする請求項１に記載の入力システム。
【考案の詳細な説明】
【技術分野】
【０００１】
本実用新案は入力システムに関し、特に携帯電子装置をコンピュータの無線送受信機とする入力システムに関する。
【背景技術】
【０００２】
現在のコンピュータシステムにおいて、主要な操作装置として、依然として主にキーボードとマウスが使用されている。しかし、コンピュータのオペレーションシステム及びコンピュータゲームの持続的な進歩と改善につれて、ユーザーはコンピュータを使用する時又は電子ゲームをする時に、操作及び制御可能な機能は益々多くなる。しかしながら、制御する必要のある特殊な機能が多過ぎると、ユーザーは使用上で慌てふためくようになる。したがって、マウスとキーボードの機能及び構造についても、様々な構造改善と発展が行われている。
【０００３】
マウス装置を例とすると、マウス装置の発展について、初期のホイール式マウスから、徐々に光学式マウスに、更には、より先進的なレーザー式マウスに発展し、且つ、マウス装置とコンピュータとの接続と繋ぎの方式も、有線接続から無線接続に発展した。
【０００４】
現在では、無線マウスシステムはコンピュータに適用されることが多く、図１を参照し、台湾特許第Ｍ４００６１５号であり、無線マウスシステム１は、無線マウス１１と、信号受信機１２と、判断装置１３とを備える。無線マウス１１は信号送信部（図示しない）を有する。信号受信機１２は、信号受信部と、データ格納部と、ユニバーサルシリアルバスインターフェース（又は、ＵＳＢ接続機器と称され、図示しない）とを有し、ＵＳＢ接続機器によりコンピュータ５０の接続インターフェース５２に接続可能である。無線マウス１１は信号送信部により入力信号を信号受信機１２の信号受信部に送信し、さらに、この入力信号をコンピュータ５０に伝送し、コンピュータ５０の中央処理装置１３に前記入力信号に対応する命令及び動作を行わせる。信号受信機１２と無線マウス１１とは１対１に対応しなければならないので、もし無線マウス１１と対応する信号受信機１２が無くされると、前記無線マウス１１が使用できなくなり、使用上でユーザーに非常な不便を齎した。
【０００５】
また、図２に示すように、台湾特許第Ｍ２８４９６５号には、接続方式が無線マウス１１と類似する無線キーボード２と信号受信機２２とが開示されている。信号受信機２２は組み立て部２３により無線キーボード２の接続部２１と互いに係合できる。使用する時、信号受信機２２をコンピュータ５０の接続インターフェース５２に挿入する（図１に示すように）ことにより、無線キーボード２及び信号受信機２２は、コンピュータ５０との間で信号を伝送できる。しかしながら、信号受信機２２と無線キーボード２とは依然として１対１に対応しなければならず、且つ互いに分離する部材であるので、信号受信機２２を無くす或いは持っていないと、無線キーボード２が使用できなくなり、ユーザーに不便を齎した。
【先行技術文献】
【特許文献】
【０００６】
【特許文献１】台湾特許第Ｍ４００６１５号
【特許文献２】台湾特許第Ｍ２８４９６５号
【０００７】
なお、無線マウスシステム１又は無線キーボード２毎に信号受信機１２２２が配置される必要があり、携帯上でユーザーに面倒をかけただけでなく、資源の浪費又は製造コストも増加した。
【０００８】
したがって、本実用新案が解決しようとする問題は、無線入力システムにおいて、どのように信号受信機を無くした或いは持っていないことから、無線操作装置が使用できなくなることを回避し、それに資源の浪費及びコストを低減させるかということである。
【考案の概要】
【０００９】
前記問題に鑑み、本実用新案は、公知の無線操作装置の入力システムにおいて、信号受信機が無くされたことから無線操作装置が使用できなくなってユーザーに使用上の不便を齎す問題を解決できる入力システムを提出する。
【００１０】
本実用新案の入力システムはコンピュータに適用される。前記入力システムは無線操作装置と携帯電子装置とを備える。前記無線操作装置はデータ情報を生成できる操作部と、前記操作部と電気的に接続され、前記データ情報を送信するための無線送信部とを有する。携帯電子装置は表示部と、前記表示部と電気的に接続され、前記無線送信部からの前記データ情報を受信するための無線受信部と、データ伝送線路を介して前記データ情報を前記コンピュータに伝送するためのデータ伝送端子とを有する。
【００１１】
一実施例において、前記無線操作装置は、前記操作部及び前記無線送信部と電気的に接続され、前記無線操作装置の動作を制御するための制御部を更に備える。
【００１２】
一実施例において、前記無線操作装置は、前記制御部と電気的に接続され、前記データ情報を格納するための記憶部を更に備える。
【００１３】
一実施例において、前記操作部は位置指示部又は少なくとも一つのボタンである。
【００１４】
一実施例において、前記ボタンは数字キー、文字キー又は機能キーである。
【００１５】
一実施例において、前記無線操作装置はマウス、指示ペン又はキーボードである。
【００１６】
一実施例において、前記携帯電子装置はパネルコンピュータ、スマートフォン又は携帯情報端末である。
【００１７】
一実施例において、前記データ伝送端子はＵＳＢ伝送インターフェース、ＩＥＥＥ伝送インターフェース又は無線伝送インターフェースである。
【００１８】
一実施例において、前記携帯電子装置は、前記データ伝送端子及びリモートサーバと電気的に接続される通信モジュールを更に備える。
【００１９】
一実施例において、前記携帯電子装置は、前記表示部及び前記データ伝送端子と電気的に接続される中継端無線送信部を更に備える。前記無線操作装置は、操作端無線受信部を更に備える。前記中継端無線送信部は前記コンピュータからのデータファイルを前記操作端無線受信部に送信するためである。
【００２０】
一実施例において、前記中継端無線送信部及び前記操作端無線受信部はそれぞれ、対応するブルートゥース（登録商標）受信機及びブルートゥース（登録商標）送信機、無線周波受信モジュール及び送信モジュール、ＷＩ−ＦＩ（登録商標）受信機及びＷＩ−ＦＩ（登録商標）送信機、又は、赤外線受信機及び赤外線送信機である。
【００２１】
一実施例において、前記無線操作装置の無線送信部及び前記携帯電子装置の無線受信部はそれぞれ、対応するブルートゥース（登録商標）受信機及びブルートゥース（登録商標）送信機、無線周波受信モジュール及び無線周波送信モジュール、ＷＩ−ＦＩ（登録商標）受信機及び一ＷＩ−ＦＩ（登録商標）送信機、又は、赤外線受信機及び赤外線送信機である。
【００２２】
一実施例において、前記データ伝送線路は有線データ伝送線路又は無線データ伝送線路である。
【００２３】
前記により、本実用新案の入力システムによれば、従来の受信機を使用する必要がなく、携帯電子装置を受信又は送信機とする。したがって、ユーザーは従来の受信機を携帯することなく無線操作装置を使用することができる。また、携帯電子装置を伝送インターフェースとしたので、一つの無線操作装置は複数の携帯電子装置に対応することができ、公知の受信機が無くされると無線操作装置が使用できなくなる問題を解決できる。また、携帯電子装置はプログラムにより無線操作装置又はコンピュータからのデータ情報又はデータファイルをエディットできる。携帯電子装置がクラウドサーバと接続される実施例において、無線操作装置又はコンピュータ内のデータ情報又はデータファイルは、携帯電子装置を介してクラウドサーバに格納されることもできる。
【図面の簡単な説明】
【００２４】
【図１】公知の無線マウスとコンピュータのアーキテクチャ模式図である。
【図２】公知の無線キーボードとコンピュータのアーキテクチャ模式図である。
【図３】本実用新案の入力システムのブロック模式図である。
【図４】本実用新案の入力システムの一実施例の使用時の斜視構造模式図である。
【図５】本実用新案の入力システムの別の一実施例の使用時の斜視構造模式図である。
【考案を実施するための形態】
【００２５】
以下、添付図面を参照しながら本実用新案の具体的な実施方式を詳細に説明する。同一符号は同様又は類似の機能を有する部材又は装置を表す。「電気的に接続する」又は「電気的に連結する」は直接又は間接的に電気的に接続できることを表す。
【００２６】
先ず、図３及び図４を参照し、それぞれ本実用新案の入力システムの一実施例の部材模式図及び使用時の斜視構造模式図である。この実施例において、入力システム３はコンピュータ５０に適用可能である。コンピュータ５０は例えばデスクトップコンピュータ、ノートコンピュータ又はパネルコンピュータ等である。入力システム３は少なくとも無線操作装置１００と携帯電子装置２００とを備える。無線操作装置１００はマウス、指示ペン又はキーボードであってよい。携帯電子装置２００はパネルコンピュータ、携帯情報端末又は携帯電話等である。
【００２７】
無線操作装置１００は少なくとも操作部１１０と、第１の無線送受信部１２０とを備える。操作部１１０はデータ情報１１５を生成できる。より具体的には、本実施例における操作部１１０は少なくともマウスボタン、ホイール、又は位置指示部（例えば赤外線位置センサ）である。操作部１１０が操作された後、さらに、データ情報１１５を生成する。データ情報１１５は例えば操作命令又は位置信号等である。
【００２８】
第１の無線送受信部１２０は少なくとも無線送信部１２１を備える。別の一実施例において、操作端無線受信部１２５（破線の枠で示す）をさらに備えてもよい。第１の無線送受信部１２０は操作部１１０と電気的に接続され、さらに、無線送信部１２１は間接的に操作部１１０と電気的に接続される。無線送信部１２１はデータ情報１１５を送信するためである。
【００２９】
本実用新案の一実施例において、無線操作装置１００は制御部１３０と記憶部１４０と（破線の枠で示す）をさらに備えてもよいが、これに限定されるものではなく、別の一実施例において、記憶部１４０を設置しなくてもよい。記憶部１４０は書き換え可能なリードオンリメモリ又はフラッシュメモリであってよい。記憶部１４０はデータ情報１１５を格納するためであり、或いは、少なくともマクロデータ１４５を内部に作ってもよい。制御部１３０はそれぞれ操作部１１０、記憶部１４０及び第１の無線送受信部１２０と電気的に接続可能であり、さらに、無線送信部１２１は間接的に制御部１３０と電気的に接続される。別の一実施例において、操作端無線受信部１２５も間接的に制御部１３０と電気的に接続される。制御部１３０は無線操作装置１００全体の動作を制御する。例えば、一実施例において、制御部１３０は、操作部１１０からのデータ情報１１５を第１の無線送受信部１２０の無線送信部１２１により伝送するか否かを制御する。別の一実施例において、制御部１３０は、操作端無線受信部１２５が外部データファイルを受信することを制御できる。また別の一実施例において、制御部１３０は、記憶部１４０が格納するか否かを制御する。制御部１３０は中央処理装置（ＣＰＵ）又は軌跡制御部（ＴＣＵ）であってよい。第１の無線送受信部１２０の無線送信部１２１及び操作端無線受信部１２５はそれぞれブルートゥース（登録商標）送信及び受信機、無線周波送信及び受信モジュール、ＷＩ−ＦＩ（登録商標）送信及び受信機、又は、赤外線送信及び受信機であってよい。
【００３０】
携帯電子装置２００は表示部２１０と、第２の無線送受信部２２０と、データ伝送端子２３０とを備える。表示部２１０は表示スクリーンである。第２の無線送受信部２２０は無線受信部２２１を備える。第２の無線送受信部２２０は間接又は直接的に表示部と電気的に接続され、さらに、無線受信部２２１も間接的に表示部２１０及びデータ伝送端子２３０と電気的に接続され、無線操作装置１００の無線送信部１２１から送信されたデータ情報１１５を受信するためである。無線受信部２２１及び無線送信部１２１はそれぞれ対応するブルートゥース（登録商標）受信及び送信機、無線周波受信及び送信モジュール、ＷＩ−ＦＩ（登録商標）受信及び送信機、又は、赤外線受信及び送信機であってよい。
【００３１】
本実用新案のまた別の一実施例において、携帯電子装置２００の第２の無線送受信部２２０は中継端無線送信部２２５（破線の枠で示す）をさらに備えてもよい。中継端無線送信部２２５は前記表示部及び前記データ伝送端子と電気的に接続され、コンピュータ５０からのデータファイル５４を送信できるとともに、無線操作装置１００の第１の無線送受信部１２０の操作端無線受信部１２５に伝送でき、このように、無線操作装置１００はコンピュータ５０からのデータファイル５４を受信できる。
【００３２】
操作端無線受信部１２５及び中継端無線送信部２２５はそれぞれ対応するブルートゥース（登録商標）受信及び送信機、無線周波受信及び送信モジュール、ＷＩ−ＦＩ（登録商標）受信及び送信機、又は、赤外線受信及び送信機であってよい。例を挙げると、一実施例において、無線送信部１２１はブルートゥース（登録商標）送信機であると、無線受信部２２１はブルートゥース（登録商標）受信機である。中継端無線送信部２２５はＷＩ−ＦＩ（登録商標）送信機であると、操作端無線受信部１２５はＷＩ−ＦＩ（登録商標）受信機である。
【００３３】
データ伝送端子２３０は有線又は無線のデータ伝送線路５６を介してデータ情報１１５をコンピュータ５０に伝送する。より具体的には、データ伝送端子２３０はＵＳＢ伝送インターフェースであるが、これに限定されるものではない。別の一実施例において、データ伝送端子２３０は、コンピュータ５０の接続インターフェース５２と対応するＩＥＥＥ伝送インターフェース又は無線伝送インターフェースであってもよい。これにより、データ伝送線路５６を介してデータ情報１１５又はマクロデータ１４５をコンピュータ５０に伝送し、或いは、携帯電子装置２００のデータ伝送端子２３０によりコンピュータ５０からのデータファイル５４を無線操作装置１００に間接的に伝送する。
【００３４】
より具体的には、携帯電子装置２００はプロセッサ２４０をさらに備える。プロセッサ２４０はそれぞれ第２の無線送受信部２２０、表示部２１０及びデータ伝送端子２３０と電気的に接続される。プロセッサ２４０は携帯電子装置２００全体の動作を処理するためである。例えば、一実施例において、プロセッサ２４０は、データ伝送端子２３０がコンピュータ５０からのデータファイル５４を受信するか否かを制御する。別の一実施例において、プロセッサ２４０は、第２の無線送受信部２２０が信号を受信又は送信するか否かを制御する。なお、また別の一実施例において、携帯電子装置２００は、プロセッサ２４０又はソフトウェアプログラムによりコンピュータ５０からのデータファイル５４又は無線操作装置１００からのデータ情報１１５をエディットすることもできる。
【００３５】
本実用新案のまた別の一実施例において、携帯電子装置２００は、それぞれプロセッサ２４０及びデータ伝送端子２３０と電気的に接続される通信モジュール２５０（破線の枠で示す）をさらに備える。通信モジュール２５０はリモートサーバ（図示しない）と電気的に接続される。リモートサーバはコンピュータ５０からのデータファイル５４、又は無線操作装置１００からのデータ情報１１５又はマクロデータ１４５を格納できる。これにより、本実用新案の入力システム３によれば、データ情報１１５又はデータファイル５４をリモートサーバに同期的に格納できる。また、さらには別のコンピュータによりリモートサーバにおけるデータファイル５４又はデータ情報１１５をエディットした後、通信モジュール２５０により携帯電子装置２００に伝送することができる。これにより、さらに、エディットされたデータファイル５４又はデータ情報１１５を、携帯電子装置２００の第２の無線送受信部２２０、第１の無線送受信部１２０により無線操作装置１００に伝送し、或いは、データ伝送端子２３０によりコンピュータ５０に伝送することができる。前記データ情報１１５又はデータファイル５４は操作命令、マクロ情報又は位置情報等であってよい。
【００３６】
前記第１の実施例により本実用新案の好ましい実施態様が開示されているが、本実用新案はこれに限定されるものではない。換言すれば、携帯電子装置２００を無線操作装置１００の無線受信機及び/又は送信機とすることにより、公知の信号送受信機１２２２が代えられることができれば、ユーザーが信号送受信機を無くしたことから無線操作装置を使用できなくなるリスクを低減でき、さらには、信号送受信機１２２２に代わって携帯電子装置２００を用いるので、製造コスト又は資源の浪費を低減できる。以下、本実用新案の要旨をより一層了解させるように、参照として第２の実施例を挙げる。
【００３７】
図３及び図５を併せて参照し、図５は本実用新案の別の一実施例の使用時の斜視構造模式図である。この実施例において、第１の実施例と同じ符号又は付けられていない符号は同様又は類似の機能を表す。以下、異なる部分のみを説明する。第２の実施例において、無線操作装置３００は無線キーボードである。携帯電子装置４００は携帯電話である。第２の実施例における操作部１１０は複数のキーボードボタン（図面には、そのうちの一個しか示されていない）である。より具体的には、操作部１１０は数字キー、文字キー又は機能キーであってよい。操作部１１０は外力を受けて始動した後、データ情報１１５を生成する。本実施例におけるデータ情報１１５は操作命令、数字情報及び/又は文字情報等であってよい。
【００３８】
本実用新案の入力システムの携帯電子装置を無線操作装置の受信端又は送信端とすることにより、公知の無線受信機と無線操作装置とが１対１に対応しているので、無線受信機が無くされた時に、無線操作装置が使用できなくなり、他の無線受信機を探さなければならない問題を減少させることができ、ユーザーの利便性を向上した。また、いくつかの実施例において、他には以下のような効果がある。
【００３９】
１.携帯電子装置２００は、プロセッサ２４０及び/又はプログラムソフトウェアにより、無線操作装置１００からのデータ情報１１５も、コンピュータ５０からのデータファイル５４もエディットできる。
【００４０】
２.携帯電子装置２００は、通信モジュール２５０によりリモートサーバと電気的に接続される。これにより、無線操作装置１００からのデータ情報１１５又はコンピュータ５０からのデータファイル５４はリモートサーバに同期的に格納されることができる。また、ユーザーは外部のコンピュータによりリモートサーバに格納された情報をエディットすることもでき、無線操作装置１００内のデータ情報１１５又はデータファイル５４を間接的に同期的にアップデートできる。
【００４１】
３.無線操作装置１００には記憶部１４０が設けられている実施例において、データ情報１１５又はデータファイル５４を記憶部１４０に格納してもよく、これにより、ユーザーは、無線操作装置１００を持って直接に他のコンピュータと接続し使用することができる。
【００４２】
以上の記載はただ本実用新案の好ましい実施方式に過ぎない。本実用新案の範囲は前記実施方式により限定されるものではない。本願の技術を熟知する当業者が本実用新案の要旨に基づいて行われた同等な修飾又は変形は全て特許請求の範囲に含まれるべきである。
【符号の説明】
【００４３】
１：無線マウスシステム
１１：無線マウス
１２：信号受信機
１３：判断装置
２：無線キーボード
２１：接続部
２２：信号受信機
２３：組み立て部
３：入力システム
１００、３００：無線操作装置
１１０：操作部
１１５：データ情報
１２０：第１の無線送受信部
１２１：無線送信部
１２５：操作端無線受信部
１３０：制御部
１４０：記憶部
１４５：マクロデータ
２００、４００：携帯電子装置
２１０：表示部
２２０：第２の無線送受信部
２２１：無線受信部
２２５：中継端無線送信部
２３０：データ伝送端子
２４０：プロセッサ
２５０：通信モジュール
５０：コンピュータ
５２：接続インターフェース
５４：データファイル
５６：データ伝送線路
【図１】
0003193817.tif 000003
【図２】
0003193817.tif 000004
【図３】
0003193817.tif 000005
【図４】
0003193817.tif 000006
【図５】
0003193817.tif 000007